(57)【要約】【課題】リモートカメラとリモートストレージをシームレスに実施し、簡単にリモートブラウジングを実施することができるシステムを提供すること。【解決手段】情報端末と、画像撮影端末と、記憶端末とで構成されるシステムにおいて、  前記情報端末と前記画像撮影端末とを無線通信接続し、前記情報端末を用いて前記画像撮影端末を遠隔操作して画像撮影が可能であり、且つ、前記画像撮影端末と前記記憶端末とを無線通信接続し、前記画像撮影端末で撮影して得られた画像データを前記記憶端末へ転送し、前記記憶端末の記憶手段へ保存する。画像識別子を記憶手段に保存し、画像識別子を画像撮影端末を経由して情報端末へ通知することが可能であり、且つ、情報端末と憶端末とを無線通信接続し、情報端末を操作して画像識別子を記憶端末に送信することで所望の前記画像データを取得し、情報端末の画像表示手段に表示させる。【選択図】図２
2005176235.tif 000002
【特許請求の範囲】
【請求項１】
無線通信手段と画像表示手段とアプリケーション操作手段と記憶手段とを備えた情報端末と、無線通信手段と画像撮影手段と記憶手段とを備えた画像撮影端末と、無線通信手段と大容量の記憶手段とを備えた記憶端末とで構成されるシステムにおいて、
前記情報端末と前記画像撮影端末とを無線通信接続し、前記情報端末を用いて前記画像撮影端末を遠隔操作して画像撮影が可能であり、且つ、前記画像撮影端末と前記記憶端末とを無線通信接続し、前記画像撮影端末で撮影して得られた画像データを前記記憶端末へ転送し、前記記憶端末の記憶手段へ保存するとともに、前記記憶端末では前記画像データに対して前記記憶端末内部において一意な画像識別子を付与し、前記画像データと関連付けて前記画像識別子を記憶手段に保存し、前記画像識別子を前記画像撮影端末を経由して前記情報端末へ通知することが可能であり、且つ、前記情報端末と前記記憶端末とを無線通信接続し、前記情報端末を操作して前記画像識別子を前記記憶端末に送信することで所望の前記画像データを取得し、前記情報端末の画像表示手段に表示させることが可能であることを特徴とするシステム。
【請求項２】
情報端末の記憶手段には接続先機器として画像撮影端末が指定されており、前記画像撮影端末との無線通信接続処理に必要な情報が事前に登録されていること、及び前記画像撮影端末の記憶手段には接続先機器として記憶端末が指定されており、前記記憶端末との無線通信接続処理に必要な情報が事前に登録されていることを特徴とし、前記情報端末において本システムを制御するアプリケーションを実行開始したとき、自動的に、前記情報端末から前記画像撮影端末へ無線接続要求を送信し、この接続処理が完了すると、次には前記画像撮影端末から前記記憶端末へ無線接続要求を送信し、接続処理を行うことを特徴とする請求項１記載のシステム。
【請求項３】
情報端末の記憶手段には接続先機器として記憶端末が指定されており、前記記憶端末との無線通信接続処理に必要な情報が事前に登録されていることを特徴とし、前記情報端末において電子アルバムのアプリケーションを実行し、前記情報端末の画像表示手段に表示されている電子アルバムから所望のサムネイル画像を選択したとき、自動的に、前記情報端末から前記記憶端末へ無線接続要求を送信し、この接続処理が完了すると、次には前記情報端末から前記記憶端末へ前記選択されたサムネイル画像に関連付けて記憶されている画像識別子を含む画像取得要求を送信し、これを受信した前記記憶端末は前記画像識別子に対応する画像データを記憶手段より検索し、前記画像データを含む画像取得応答を前記情報端末へ送信することを特徴とする請求項１又は２記載のシステム。
【請求項４】
無線通信手段と画像表示手段とアプリケーション操作手段と記憶手段とを備えた情報端末と、無線通信手段と画像撮影手段と記憶手段とを備えた画像撮影端末と、無線通信手段と大容量の記憶手段とを備えた記憶端末とで構成されるシステムにおいて、
前記画像撮影端末を操作して画像撮影を行い、且つ、前記画像撮影端末と前記記憶端末とを無線通信接続し、前記画像撮影端末で撮影して得られた画像データを前記記憶端末へ転送し、前記記憶端末の記憶手段へ保存とともに、前記記憶端末では前記画像データに対して前記記憶端末内部において一意な画像識別子を付与し、前記画像データと関連付けて前記画像識別子を記憶手段に保存し、前記画像識別子を前記画像撮影端末を経由して前記情報端末へ通知することが可能であり、且つ、前記情報端末と前記記憶端末とを無線通信接続し、前記情報端末を操作して前記画像識別子を前記携帯記憶端末に送信することで所望の前記画像データを取得し、前記情報端末の画像表示手段に表示させることが可能であることを特徴とするシステム。
【請求項５】
画像撮影端末の記憶手段には接続先機器として記憶端末が指定されており、前記記憶端末との無線通信接続処理に必要な情報が事前に登録されていること、及び画像撮影端末の記憶手段には接続先機器として前記情報端末が指定されており、前記情報端末との無線通信接続処理に必要な情報が事前に登録されていることを特徴とし、前記画像撮影端末において本システムを制御するアプリケーションを実行開始したとき、自動的に、前記画像撮影端末から前記記憶端末へ無線接続要求を送信し、この接続処理が完了すると、次には前記画像撮影端末から前記情報端末へ無線接続要求を送信し、接続処理を行うことを特徴とする請求項４記載のシステム。
【請求項６】
情報端末の記憶手段には接続先機器として記憶端末が指定されており、前記憶端末との無線通信接続処理に必要な情報が事前に登録されていることを特徴とし、前記情報端末において電子アルバムのアプリケーションを実行し、前記情報端末の画像表示手段に表示されている電子アルバムから所望のサムネイル画像を選択したとき、自動的に、前記情報端末から前記記憶端末へ無線接続要求を送信し、この接続処理が完了すると、次には前記情報端末から前記記憶端末へ前記選択されたサムネイル画像に関連付けて記憶されている画像識別子を含む画像取得要求を送信し、これを受信した前記記憶端末は前記画像識別子に対応する画像データを記憶手段より検索し、前記画像データを含む画像取得応答を前記情報端末へ送信することを特徴とする請求項４又は５記載のシステム。
【請求項７】
記憶端末の代わりにインターネットを介してデータ交換が可能なサーバを用い、又、情報端末と前記サーバ間のデータ交換は、前記情報端末の備える第２の無線通信手段である公衆無線通信手段を用いて公衆無線基地局と無線接続し、インターネットサービスプロバイダを経由して行い、更に、画像撮影端末と前記サーバ間のデータ交換は、前記画像撮影端末の備える無線通信手段を用いて、無線通信手段を備えたインターネットアクセスポイント端末と無線接続し、インターネットを経由して行うことを特徴とする請求項１〜６の何れかに記載のシステム。
【発明の詳細な説明】
【技術分野】
【０００１】
本発明は、無線通信機能により実現されるリモートカメラ及びリモートストレージを用いたシステムに関する。
【背景技術】
【０００２】
近年のワイアレス技術の進歩により、無線通信機能を備えた携帯情報機器や、後から携帯情報機器に無線通信機能を付加することのできる無線通信アダプタ等が多く見られるようになった。特許文献１のように、ＰＤＡ、携帯電話、デジタルスチルカメラ（以下、デジカメ）、プリンタ等にBluetooth 、WLAN、赤外線等の無線通信機能が搭載され、同種の機器間や異種の機器間を無線通信で接続してデータ転送を行うことで、より新しく、便利な使用方法が見出され始めている。
【０００３】
リモートカメラやリモートストレージも、前述のような無線通信機能を備えた機器間で実現できる便利で面白い使用方法の一例である。
【０００４】
リモートカメラとは、例えば、無線通信機能を備えた携帯電話をリモコンとして使用し、無線通信機能を備えたデジカメを操作して、デジカメから離れた場所にいながら画像撮影を行うというようなアプリケーションである。携帯電話という画像撮影機能を持たないが操作性や携帯性に優れた機器と、デジカメという画像撮影機能を持つ機器を無線通信で接続することで、携帯電話に画像撮影機能を取り込むことができ、ユーザに対して、新しい使用方法や遊び方を提供する使用方法である。
【０００５】
ここで、従来のリモートカメラのシーケンスを示した図５を用いて、リモートカメラを実施する場合の処理を説明する。リモートカメラのリモコン側機器として携帯電話、カメラ側機器としてデジカメを仮定した。
【０００６】
Ｓ４０１では携帯電話からデジカメへ無線通信の接続要求を送信し、Ｓ４０２ではデジカメから携帯電話へ接続応答を送信する。これにより、前記携帯電話と前記デジカメは無線通信により無線接続され、通信が可能となる。
【０００７】
Ｓ４０３では携帯電話からデジカメへファインダ画像要求を送信する。これはデジカメで撮影しているサムネイル画像のような小さくて荒い画像をファインダ画像として携帯電話へ転送するように要求しているものである。Ｓ４０４ではデジカメから携帯電話へファインダ画像を含むファインダ画像応答を送信する。通常、Ｓ４０３〜Ｓ４０４の処理は周期的に実行され、携帯電話の表示装置に表示されるファインダ画像は随時更新されるように実施される。
【０００８】
Ｓ４０５では携帯電話からデジカメに対して撮影要求を送信する。この撮影要求を受信したデジカメはＳ４０６で画像撮影を行い、Ｓ４０７ではデジカメ内部で一意なイメージハンドルを撮影画像に付与し、Ｓ４０８で画像データを記憶装置に保存し、Ｓ４０９ではデジカメから携帯電話へＳ４０５の撮影要求に対する応答を送信する。前記応答にはデジカメで付与したイメージハンドル及びサムネイル画像が含まれている。
【０００９】
Ｓ４１０では携帯電話は受信したサムネイル画像を保存し、Ｓ４１１では電子アルバムアプリケーションに前記サムネイル画像及び受信したイメージハンドルを登録する。
【００１０】
最後に、Ｓ４１２では携帯電話からデジカメへ無線通信の切断要求を送信し、Ｓ４１３ではデジカメから携帯電話へ切断応答を送信する。
【００１１】
リモートストレージとは、例えば、ル無線通信機能を備えたデジカメで撮影した画像データを、無線通信機能を備えた携帯型ハードディスク（以下、携帯型ＨＤＤ）へ転送し、デジカメの記憶装置が不足することを防ぐことができる使用方法である。デジカメというそれほど大きな記憶容量を持たないが画像撮影機能を備えた機器と、携帯型ＨＤＤというユーザインターフェイスや面白い機能等を持たないが非常に大きな記憶容量を持つ機器を無線通信で接続することで、デジカメの撮影可能画像数を大幅に増やすことができ、ユーザに対して、より便利さを提供する使用方法である。
【００１２】
【特許文献１】特開２００２−１９１０７９号公報
【発明の開示】
【発明が解決しようとする課題】
【００１３】
リモートカメラ、リモートストレージはそれぞれ便利な使用方法である。しかしながら、リモートカメラでは、通常、リモコン側の機器としては、ＰＤＡや携帯電話等の記憶容量の小さい携帯型の機器が利用されるため、リモートカメラを実施して撮影した画像をリモコン側の機器へ余り多くは取り込めない。又、画像撮影側の機器として利用されるデジカメに画像データを保存しておくことで、リモコン側の機器よりは多くの画像を保存することができるが、デジカメの記憶装置内に画像をいつまでも残しておくことは、撮影可能画像数が少なくなってしまうというデメリットがあり、撮影した画像データは他の機器へ保存したいという要求がある。
【００１４】
又、リモートストレージでは、ストレージ側の機器としては、携帯型ＨＤＤ等の大容量ストレージデバイスが利用されるが、このようなストレージデバイスは、ただ単に記憶装置だけで構成されている場合が多く、この記憶装置内のどこに何を記憶しているか分かりにくく、目的のデータを探し出すのに苦労する場合がある。
【００１５】
このように、リモートカメラでは記憶容量の問題、リモートストレージではブラウジングの問題があった。そこで、従来ユーザは、例えば、携帯電話とデジカメを用いてリモートカメラを実施し、デジカメに撮影画像を記憶させ、その後、デジカメを操作して、リモートストレージを実施して携帯ＨＤＤへ画像データを保存し、その後、ＰＤＡやＰＣを用いて携帯ＨＤＤの画像データを取得して画像を閲覧するというようなことを行っていた。
【００１６】
しかしながら、前述のような使用方法では大きな問題があった。ここで、図５に示す従来のリモートカメラのシーケンス図を用いて説明する。
【００１７】
例えば、携帯電話とデジカメを用いたリモートカメラを実施したとき、Ｓ４０５で携帯電話から撮影要求を送信し、これによりＳ４０６では前記デジカメが画像撮影を行い、Ｓ４０７では撮影した画像に対して前記デジカメ内部において一意なイメージハンドルを付与し、Ｓ４０８では前記画像データを記憶装置へ保存する。その後、Ｓ４０９において前記イメージハンドル含む撮影応答を携帯電話へ送信するという処理を行っていた。そして、リモートカメラを行った後で、デジカメと携帯ＨＤＤを用いてリモートカメラを実施すると、デジカメを操作して携帯ＨＤＤへ画像データを転送し保存させるという処理を行う。このような保存方法では、保存した画像データに対してイメージハンドルが付与されないので、ブラウジングする場合、ファイル名により検索する必要があるが、デジカメで付与したファイル名（通常、アルファベットと数字だけの内容と無関係の名前）で保存されているので、ユーザはどの画像データが所望の画像であるかを検索するのに非常に手間が掛かる。
【００１８】
又、前記問題の解決方法として、データベースへ登録してから保存するというような処理を実施したとき、携帯ＨＤＤ内部で一意なイメージハンドルが保存されている画像に対して付与され、前記携帯電話が前記デジカメから通知されているイメージハンドルとは異なるイメージハンドルとなってしまっていた。このため、前記携帯電話と前記携帯ＨＤＤを用いてリモートブラウジングを行う場合、携帯電話は結局、前記携帯ＨＤＤからサムネイル画像を取得し、画像を確認してから本画像を取得するような処理が必要であった。
【００１９】
上述のような問題があるため、前記携帯電話と前記携帯ＨＤＤを用いたリモートブラウジングを利用した電子アルバムの実現が困難となっていた。
【００２０】
加えて、リモートカメラとリモートストレージを別々に行うような前述の操作は非常に面倒であり、そのため、実際には、リモートカメラやリモートストレージというようなアプリケーションを利用するユーザは極僅かであった。  
そこで、本発明は、リモートカメラとリモートストレージをシームレスに実施し、簡単にリモートブラウジングを実施することができるシステムを提供することにある。
【課題を解決するための手段】
【００２１】
上記目的を達成するため、本発明は、無線通信手段と画像表示手段とアプリケーション操作手段と記憶手段とを備えた情報端末と、無線通信手段と画像撮影手段と記憶手段とを備えた画像撮影端末と、無線通信手段と大容量の記憶手段とを備えた記憶端末とで構成されるシステムにおいて、
前記情報端末と前記画像撮影端末とを無線通信接続し、前記情報端末を用いて前記画像撮影端末を遠隔操作して画像撮影が可能であり、且つ、前記画像撮影端末と前記記憶端末とを無線通信接続し、前記画像撮影端末で撮影して得られた画像データを前記記憶端末へ転送し、前記記憶端末の記憶手段へ保存するとともに、前記記憶端末では前記画像データに対して前記記憶端末内部において一意な画像識別子を付与し、前記画像データと関連付けて前記画像識別子を記憶手段に保存し、前記画像識別子を前記画像撮影端末を経由して前記情報端末へ通知することが可能であり、且つ、前記情報端末と前記記憶端末とを無線通信接続し、前記情報端末を操作して前記画像識別子を前記記憶端末に送信することで所望の前記画像データを取得し、前記情報端末の画像表示手段に表示させることが可能であることを特徴とする。
【発明の効果】
【００２２】
本発明によれば、リモートカメラとリモートストレージをシームレスに実施し、簡単にリモートブラウジングを実施することが可能となる。
【００２３】
例えば、ＰＤＡや携帯電話等で遠隔操作してデジカメで画像撮影し、前記デジカメから携帯型ＨＤＤへ画像データを自動保存し、且つ、リモコン機器へはデジカメからサムネイル画像と携帯型ＨＤＤで管理されているイメージハンドルを転送し、これをリモコン機器で保存し、その後、リモコン機器を操作して携帯型ＨＤＤへアクセスして、前記イメージハンドルを用いて簡単にブラウジングすることが可能である。
【００２４】
又、ＰＤＡや携帯電話等で遠隔操作してデジカメで画像撮影し、前記デジカメからインターネット経由でサーバへ画像データを自動保存し、且つ、リモコン機器へはデジカメからサムネイル画像とサーバで管理されているイメージハンドルを転送し、これをリモコン機器で保存し、その後、リモコン機器を操作してインターネット経由でサーバへアクセスして、前記イメージハンドルを用いて簡単にブラウジングすることが可能である。
【００２５】
よって、本発明によれば、記憶容量の小さいＰＤＡや携帯電話等に電子アルバムを持たせることが可能になる。
【発明を実施するための最良の形態】
【００２６】
以下に本発明の実施の形態を添付図面に基づいて説明する。
【００２７】
＜実施の形態１＞
図１に本提案の画像撮影、画像保存、画像閲覧システムの第１のシステム構成例を示す。本構成例では、リモートカメラのリモコン機器として携帯電話１０１、リモートカメラの画像撮影機器及びリモートストレージのストレージ依頼機器としてデジカメ１０２、リモートストレージのストレージ機器として携帯ＨＤＤ１０３で構成している。
【００２８】
図２に本提案の画像撮影、画像保存、画像閲覧システムの処理フロー図を示す。
（接続）
Ｓ１０１では、ユーザは携帯電話１０１を操作し、デジカメ１０２に対してローカル無線通信の接続要求を送信し、Ｓ１０２では、デジカメ１０２は接続応答を送信する。
【００２９】
Ｓ１０３では、携帯電話１０１とデジカメ１０２との接続処理が完了すると、デジカメ１０２は自動的に携帯ＨＤＤ１０３に対してローカル無線通信の接続要求を送信し、Ｓ１０４では、携帯ＨＤＤ１０３は接続応答を送信する。
（ファインダ）
Ｓ１０５では、携帯電話１０１はデジカメ１０２に対して、ファインダ画像要求を送信する。これはデジカメ１０２からサムネイル画像のような小さくて荒い画像をファインダ画像として携帯電話１０１へ転送するように要求しているものである。Ｓ１０６では、デジカメ１０２は、サムネイル画像を含むファインダ画像応答を送信する。通常、Ｓ１０５〜Ｓ１０６の処理は周期的に実行され、携帯電話１０１の表示部に表示されるファインダ画像は随時更新されるように実施される。
（撮影）
Ｓ１０７では、ユーザは携帯電話１０１を操作して撮影要求を送信し、Ｓ１０８では、前記撮影要求を受信したデジカメ１０２はすぐに画像撮影を実行する。
（転送）
Ｓ１０９では、デジカメ１０２は自動的に撮影画像を含む転送要求を送信し、撮影画像を携帯ＨＤＤ１０３へ転送する。
（画像保存）
Ｓ１１０では、携帯ＨＤＤ１０３は受信画像に対してイメージハンドルＢを付与し、データベースに前記イメージハンドルＢを使用したことを登録し、Ｓ１１１では、携帯ＨＤＤ１０３は前記受信画像を記憶部へ保存する。
（イメージハンドル返信）
Ｓ１１２では、携帯ＨＤＤ１０３は転送要求に対する転送応答を送信する。前記転送応答は前記イメージハンドルＢを含む。
（撮影応答）
Ｓ１１３では、デジカメ１０２はＳ１０７における撮影要求の応答として撮影応答を送信する。前記撮影応答は前記イメージハンドル及び撮影画像のサムネイル画像を含む。
（アルバム作成）
Ｓ１１４では、携帯電話１０１は前記イメージハンドルＢと前記サムネイル画像とを関連付けて保存し、Ｓ１１５において前記サムネイル画像を用いて電子アルバムを作成する。
（切断）
Ｓ１１６では、ユーザは携帯電話１０１を操作し、デジカメ１０２に対して切断要求を送信し、これを受信したデジカメ１０２はＳ１１７にて切断応答を送信する。又、前述の切断処理が行われた後に、Ｓ１１８にて、デジカメ１０２は携帯ＨＤＤ１０３に対して切断要求を送信し、これを受信した携帯ＨＤＤ１０３はＳ１１９にて切断応答を送信する。
【００３０】
上記のフローに基づいて携帯電話１０１上に電子アルバムが作成される。
【００３１】
次に、前記電子アルバムを閲覧するときの処理フローを図４を用いて説明する。
（接続）
先ず、ユーザは携帯電話１０１を操作し、電子アルバムアプリケーションを立ち上げる。このとき、Ｓ３０１〜Ｓ３０２の接続処理が実施され、携帯電話１０１と携帯ＨＤＤがローカル無線通信で無線接続される。
（画像選択）
Ｓ３０３では、ユーザは携帯電話１０１を操作し、電子アルバム上に表示されているサムネイル画像を選択すると、Ｓ３０４で携帯電話１０１は前記サムネイル画像に関連付けて保存されているイメージハンドルＢを含む取得要求を携帯ＨＤＤ１０３へ送信する。これは、前記イメージハンドルＢに対応する画像を転送するように指示する要求である。
（画像返信）
Ｓ３０５では、前記取得要求を受信した携帯ＨＤＤ１０３が前記イメージハンドルＢに対応する画像を検索し、Ｓ３０６において検索された画像を含む取得応答を携帯電話１０１へ送信する。
（画像表示）
Ｓ３０７では、受信した画像を携帯電話１０１の表示部に表示する。
（切断）
Ｓ３０８〜Ｓ３０９では、ユーザは携帯電話１０１を操作して切断処理を行う。
【００３２】
上述の処理によって、ユーザが電子アルバムのサムネイル一覧を閲覧し、或るサムネイル画像を選択するだけで、ユーザに対して何も操作を要求することなく、自動的に携帯ＨＤＤ１０３に保存されている本画像を取得することができる。
【００３３】
＜実施の形態２＞
図１に本提案の画像撮影、画像保存、画像閲覧システムの第１のシステム構成例を示す。本構成例では、リモートブラウジング用のブラウザ機器として携帯電話１０１、リモートストレージのストレージ依頼機器としてデジカメ１０２、リモートストレージのストレージ機器として携帯ＨＤＤ１０３で構成している。
【００３４】
図３に本提案の画像撮影、画像保存、画像閲覧システムの処理フロー図を示す。
（接続）
Ｓ２０１では、ユーザはデジカメ１０２を操作し、携帯ＨＤＤ１０３に対して、ローカル無線通信の接続要求を送信し、Ｓ２０２では、携帯ＨＤＤ１０３は接続応答を送信する。
【００３５】
Ｓ２０３では、上記の接続処理が完了すると、デジカメ１０２は自動的に携帯電話１０１に対してローカル無線通信の接続要求を送信し、Ｓ２０４で携帯電話１０１は接続応答を送信する。
（撮影）
Ｓ２０５では、ユーザはデジカメ１０２を操作して画像撮影を実行する。
（転送）
Ｓ２０６では、デジカメ１０２は自動的に撮影画像を含む転送要求を送信し、撮影画像を携帯ＨＤＤ１０３へ転送する。
（画像保存）
Ｓ２０７では、携帯ＨＤＤ１０３は受信画像に対してイメージハンドルＢを付与し、データベースに前記イメージハンドルＢを使用したことを登録し、Ｓ２０８では、携帯ＨＤＤ１０３は前記受信画像を記憶部へ保存する。
（イメージハンドル返信）
Ｓ２０９では、携帯ＨＤＤ１０３は転送要求に対する転送応答を送信する。前記転送応答は前記イメージハンドルＢを含む。
（サムネイル転送）
Ｓ２１０では、デジカメ１０２は携帯電話１０１に対して、サムネイル画像及びイメージハンドルＢを含む転送要求を送信し、これを受信した携帯電話１０１はＳ２１１にて転送応答を送信する。
（アルバム作成）
Ｓ２１２では、携帯電話１０１は前記イメージハンドルＢと前記サムネイル画像とを関連付けて保存し、Ｓ２１３において前記サムネイル画像を用いて電子アルバムを作成する。
（切断）
Ｓ２１４では、ユーザはデジカメ１０２を操作し、携帯ＨＤＤ１０３に対して切断要求を送信し、これを受信した携帯ＨＤＤ１０３はＳ２１５にて切断応答を送信する。又、前述の切断処理が行われた後に、Ｓ２１６にて、デジカメ１０２は携帯電話１０１に対して切断要求を送信し、これを受信した携帯電話１０１はＳ２１７にて切断応答を送信する。
【００３６】
上記のフローに基づいて携帯電話１０１上に電子アルバムが作成される。
【００３７】
次に、前記電子アルバムを閲覧するときの処理フローを図４を用いて説明する。
（接続）
先ず、ユーザは携帯電話１０１を操作し、電子アルバムアプリケーションを立ち上げる。このとき、Ｓ３０１〜Ｓ３０２の接続処理が実施され、携帯電話１０１と携帯ＨＤＤがローカル無線通信で無線接続される。
（画像選択）
Ｓ３０３では、ユーザは携帯電話１０１を操作し、電子アルバム上に表示されているサムネイル画像を選択すると、Ｓ３０４で携帯電話１０１は前記サムネイル画像に関連付けて保存されているイメージハンドルＢを含む取得要求を携帯ＨＤＤ１０３へ送信する。これは、前記イメージハンドルＢに対応する画像を転送するように指示する要求である。
（画像返信）
Ｓ３０５では、前記取得要求を受信した携帯ＨＤＤ１０３が前記イメージハンドルＢに対応する画像を検索し、Ｓ３０６において検索された画像を含む取得応答を携帯電話１０１へ送信する。
（画像表示）
Ｓ３０７では、受信した画像を携帯電話１０１の表示部に表示する。
（切断）
Ｓ３０８〜Ｓ３０９では、ユーザは携帯電話１０１を操作して切断処理を行う。
【００３８】
上述の処理によって、ユーザが電子アルバムのサムネイル一覧を閲覧し、或るサムネイル画像を選択するだけで、ユーザに対して何も操作を要求することなく、自動的に携帯ＨＤＤ１０３に保存されている本画像を取得することができる。
【００３９】
＜実施の形態３＞
図６に本提案の画像撮影、画像保存、画像閲覧システムの第２のシステム構成例を示す。本構成例では、リモートカメラのリモコン機器として携帯電話１０１、リモートカメラの画像撮影機器及びリモートストレージのストレージ依頼機器としてデジカメ１０２、リモートストレージのストレージ機器としてサーバ１０５、インターネット１０４、インターネットアクセスポイント１０６、公衆網基地局１０７、インターネットサービスプロバイダ１０８で構成している。
【００４０】
図７に本提案の画像撮影、画像保存、画像閲覧システムの処理フロー図を示す。
（接続）
Ｓ５０１では、ユーザは携帯電話１０１を操作し、デジカメ１０２に対してローカル無線通信の接続要求を送信し、Ｓ５０２では、デジカメ１０２は接続応答を送信する。
【００４１】
Ｓ５０３では、携帯電話１０１とデジカメ１０２との接続処理が完了すると、デジカメ１０２は自動的にインターネットアクセスポイント１０６と無線接続し、更にインターネットを介してサーバ１０５に対して接続要求を送信し、Ｓ５０４では、サーバ１０５は接続応答を送信する。
（ファインダ）
Ｓ５０５では、携帯電話１０１はデジカメ１０２に対して、ファインダ画像要求を送信する。これはデジカメ１０２からサムネイル画像のような小さくて荒い画像をファインダ画像として携帯電話１０１へ転送するように要求しているものである。Ｓ５０６では、デジカメ１０２は、サムネイル画像を含むファインダ画像応答を送信する。通常、Ｓ５０５〜Ｓ５０６の処理は周期的に実行され、携帯電話１０１の表示部に表示されるファインダ画像は随時更新されるように実施される。
（撮影）
Ｓ５０７では、ユーザは携帯電話１０１を操作して撮影要求を送信し、Ｓ５０８では、前記撮影要求を受信したデジカメ１０２はすぐに画像撮影を実行する。
（転送）
Ｓ５０９では、デジカメ１０２は自動的に撮影画像を含む転送要求を送信し、撮影画像をインターネットアクセスポイント１０６及びインターネット１０４を経由してサーバ１０５へ転送する。
（画像保存）
Ｓ５１０では、サーバ１０５は受信画像に対してイメージハンドルＢを付与し、データベースに前記イメージハンドルＢを使用したことを登録し、Ｓ５１１では、サーバ１０５は前記受信画像を記憶部へ保存する。
（イメージハンドル返信）
Ｓ５１２では、サーバ１０５は転送要求に対する転送応答を送信する。前記転送応答は前記イメージハンドルＢを含む。
（撮影応答）
Ｓ５１３では、デジカメ１０２はＳ５０７における撮影要求の応答として撮影応答を送信する。前記撮影応答は前記イメージハンドル及び撮影画像のサムネイル画像を含む。
（アルバム作成）
Ｓ５１４では、携帯電話１０１は前記イメージハンドルＢと前記サムネイル画像とを関連付けて保存し、Ｓ５１５において前記サムネイル画像を用いて電子アルバムを作成する。
（切断）
Ｓ５１６では、ユーザは携帯電話１０１を操作し、デジカメ１０２に対して切断要求を送信し、これを受信したデジカメ１０２はＳ５１７にて切断応答を送信する。又、前述の切断処理が行われた後に、Ｓ５１８にて、デジカメ１０２は、サーバ１０５に対して切断要求を送信し、これを受信したサーバ１０５はＳ５１９にて切断応答を送信する。又、これに続いて、デジカメ１０２はインターネットアクセスポイント１０６との無線切断処理を行う。
【００４２】
上記のフローに基づいて携帯電話１０１上に電子アルバムが作成される。
【００４３】
次に、前記電子アルバムを閲覧するときの処理フローを図９を用いて説明する。
（接続）
先ず、ユーザは携帯電話１０１を操作し、電子アルバムアプリケーションを立ち上げる。このとき、Ｓ７０１〜Ｓ７０２の接続処理が実施され、携帯電話１０１とサーバ１０５が公衆網基地局１０７及びインターネットサービスプロバイダ１０８を経由して接続される。
（画像選択）
Ｓ７０３では、ユーザは携帯電話１０１を操作し、電子アルバム上に表示されているサムネイル画像を選択すると、Ｓ７０４で携帯電話１０１は前記サムネイル画像に関連付けて保存されているイメージハンドルＢを含む取得要求をサーバ１０５へ送信する。これは、前記イメージハンドルＢに対応する画像を転送するように指示する要求である。
（画像返信）
Ｓ７０５では、前記取得要求を受信したサーバ１０５が前記イメージハンドルＢに対応する画像を検索し、Ｓ７０６において検索された画像を含む取得応答を携帯電話１０１へ送信する。
（画像表示）
Ｓ７０７では、受信した画像を携帯電話１０１の表示部に表示する。
（切断）
Ｓ７０８〜Ｓ７０９では、ユーザは携帯電話１０１を操作して切断処理を行う。
【００４４】
上述の処理によって、ユーザが電子アルバムのサムネイル一覧を閲覧し、或るサムネイル画像を選択するだけで、ユーザに対して何も操作を要求することなく、自動的にサーバ１０５に保存されている本画像を取得することができる。
【００４５】
＜実施の形態４＞
図６に本提案の画像撮影、画像保存、画像閲覧システムの第２のシステム構成例を示す。本構成例では、リモートカメラのリモコン機器として携帯電話１０１、リモートカメラの画像撮影機器およびリモートストレージのストレージ依頼機器としてデジカメ１０２、リモートストレージのストレージ機器としてサーバ１０５、インターネット１０４、インターネットアクセスポイント１０６、公衆網基地局１０７、インターネットサービスプロバイダ１０８で構成している。
【００４６】
図８に本提案の画像撮影、画像保存、画像閲覧システムの処理フロー図を示す。
（接続）
Ｓ６０１では、ユーザはデジカメ１０２を操作し、インターネットアクセスポイント１０６と無線接続し、更にインターネットを介してサーバ１０５に対して、接続要求を送信し、Ｓ６０２では、サーバ１０５は接続応答を送信する。
【００４７】
Ｓ６０３では、上記の接続処理が完了すると、デジカメ１０２は自動的に携帯電話１０１に対して、ローカル無線通信の接続要求を送信し、Ｓ６０４で携帯電話１０１は接続応答を送信する（撮影）。
【００４８】
Ｓ６０５では、ユーザはデジカメ１０２を操作して画像撮影を実行する。
（転送）
Ｓ６０６では、デジカメ１０２は自動的に撮影画像を含む転送要求を送信し、撮影画像をサーバ１０５へ転送する。
（画像保存）
Ｓ６０７では、サーバ１０５は受信画像に対してイメージハンドルＢを付与し、データベースに前記イメージハンドルＢを使用したことを登録し、Ｓ６０８では、サーバ１０５は前記受信画像を記憶部へ保存する。
（イメージハンドル返信）
Ｓ６０９では、サーバ１０５は転送要求に対する転送応答を送信する。前記転送応答は前記イメージハンドルＢを含む。
（サムネイル転送）
Ｓ６１０では、デジカメ１０２は携帯電話１０１に対して、サムネイル画像及びイメージハンドルＢを含む転送要求を送信し、これを受信した携帯電話１０１はＳ６１１にて転送応答を送信する。
（アルバム作成）
Ｓ６１２では、携帯電話１０１は前記イメージハンドルＢと前記サムネイル画像とを関連付けて保存し、Ｓ６１３において前記サムネイル画像を用いて電子アルバムを作成する。
（切断）
Ｓ６１４では、ユーザはデジカメ１０２を操作し、サーバ１０５に対して切断要求を送信し、これを受信したサーバ１０５はＳ６１５にて切断応答を送信する。又、これに続いて、デジカメ１０２はインターネットアクセスポイント１０６に対して切断要求を送信し、これを受信したインターネットアクセスポイント１０６は切断応答を送信する。又、前述の切断処理が行われた後に、Ｓ６１６にて、デジカメ１０２は携帯電話１０１に対して切断要求を送信し、これを受信した携帯電話１０１はＳ６１７にて切断応答を送信する。
【００４９】
上記のフローに基づいて携帯電話１０１上に電子アルバムが作成される。
【００５０】
次に、前記電子アルバムを閲覧するときの処理フローを、図９を用いて説明する。
（接続）
先ず、ユーザは携帯電話１０１を操作し、電子アルバムアプリケーションを立ち上げる。このとき、Ｓ７０１〜Ｓ７０２の接続処理が実施され、携帯電話１０１とサーバ１０５が公衆網基地局１０７及びインターネットサービスプロバイダ１０８を経由して接続される。
（画像選択）
Ｓ７０３では、ユーザは携帯電話１０１を操作し、電子アルバム上に表示されているサムネイル画像を選択すると、Ｓ７０４で携帯電話１０１は前記サムネイル画像に関連付けて保存されているイメージハンドルＢを含む取得要求をサーバ１０５へ送信する。これは、前記イメージハンドルＢに対応する画像を転送するように指示する要求である。
（画像返信）
Ｓ７０５では、前記取得要求を受信したサーバ１０５が前記イメージハンドルＢに対応する画像を検索し、Ｓ７０６において検索された画像を含む取得応答を携帯電話１０１へ送信する。
（画像表示）
Ｓ７０７では、受信した画像を携帯電話１０１の表示部に表示する。
（切断）
Ｓ７０８〜Ｓ７０９では、ユーザは携帯電話１０１を操作して切断処理を行う。
【００５１】
上述の処理によって、ユーザが電子アルバムのサムネイル一覧を閲覧し、或るサムネイル画像を選択するだけで、ユーザに対して何も操作を要求することなく、自動的にサーバ１０５に保存されている本画像を取得することができる。
【産業上の利用可能性】
【００５２】
本発明は、無線通信機能により実現されるリモートカメラ及びリモートストレージを用いたシステムに対して適用可能である。
【図面の簡単な説明】
【００５３】
【図１】システム構成例１を示す図である。
【図２】実施例１の処理フロー（リモートカメラ、リモートストレージ）である。
【図３】実施例２の処理フロー（リモートストレージ）である。
【図４】リモートブラウジングの処理フローである。
【図５】従来のリモートカメラの処理フローである。
【図６】システム構成例２を示す図である。
【図７】実施例３の処理フロー（リモートカメラ、リモートストレージ）である。
【図８】実施例４の処理フロー（リモートストレージ）である。
【図９】リモートブラウジングの処理フロー（インターネット経由）である。
【符号の説明】
【００５４】
１０１  携帯情報端末（例として、携帯電話）
１０２  画像撮影端末（例として、デジタルカメラ）
１０３  携帯記憶端末（例として、携帯ハードディスク）
１０４  インターネット
１０５  サーバ
１０６  インターネットアクセスポイント
１０７  公衆網基地局
１０８  インターネットサービスプロバイダ
【図１】
2005176235.tif 000003
【図２】
2005176235.tif 000004
【図３】
2005176235.tif 000005
【図４】
2005176235.tif 000006
【図５】
2005176235.tif 000007
【図６】
2005176235.tif 000008
【図７】
2005176235.tif 000009
【図８】
2005176235.tif 000010
【図９】
2005176235.tif 000011